(57)【要約】【課題】表示パネルの大型化および高解像度化に対応可能とし、意図した画像の表示を行う。【解決手段】本発明の一実施形態として、スキャンドライバに接続された走査線と、データドライバに接続され前記走査線に交差するすくなくとも２本のデータ線とを有する画像表示装置の駆動方法であり、前記データドライバが、前記すくなくとも２本のデータ線それぞれに階調データ信号を供給するタイミングを、前記すくなくとも２本のデータ線のそれぞれと前記スキャンドライバとの間の距離に応じて遅延させ、異ならせることを含む、画像表示装置の駆動方法を提供する。【選択図】図５
2015075495.tif 000002
【特許請求の範囲】
【請求項１】
スキャンドライバに接続された走査線と、データドライバに接続され前記走査線に交差するすくなくとも２本のデータ線とを有する画像表示装置の駆動方法であり、
前記データドライバが、前記すくなくとも２本のデータ線それぞれに階調データ信号を供給するタイミングを、前記すくなくとも２本のデータ線のそれぞれと前記スキャンドライバとの間の距離に応じて遅延させ、異ならせることを含む、画像表示装置の駆動方法。
【請求項２】
前記データドライバが、前記走査線の配線抵抗値および容量結合による容量値による時定数に基づき、前記すくなくとも２本のデータ線それぞれに階調データ信号を供給するタイミングを、遅延させることを含む請求項１に記載の、画像表示装置の駆動方法。
【請求項３】
前記データドライバは、直列に接続された複数の遅延制御回路を有し、
前記すくなくとも２本のデータ線それぞれに階調データ信号を供給するタイミングを示す出力タイミング信号を、前記直列に接続された複数の遅延制御回路のいずれかより得ることを含む請求項１または２に記載の、画像表示装置の駆動方法。
【請求項４】
前記遅延制御回路は、入力信号に対する出力信号の遅延時間を選択可能な、請求項３に記載の、画像表示装置の駆動方法。
【請求項５】
前記スキャンドライバが、前記走査線に供給される選択信号の立ち上がりおよび立ち下りに応じ、立ち上がりおよび立ち下がるパルス信号を、前記すくなくとも２本のデータ線のそれぞれと交差するダミー走査線に供給し、
前記データドライバが、前記ダミー走査線が前記すくなくとも２本のデータ線のそれぞれに交差する位置と前記スキャンドライバとの間における前記ダミー走査線の信号を取得し、
前記信号のレベル変化に応じて、前記データドライバが、前記すくなくとも２本のデータ線それぞれに階調データ信号を供給するタイミングを決定する請求項１に記載の、画像表示装置の駆動方法。
【請求項６】
スキャンドライバに接続された走査線と、前記走査線に交差するすくなくとも２本のデータ線に接続されたデータドライバとを有する画像表示装置であり、
前記データドライバは、前記すくなくとも２本のデータ線それぞれに階調データ信号を供給するタイミングを、前記すくなくとも２本のデータ線のそれぞれと前記スキャンドライバとの間の距離に応じて遅延させ、異ならせる画像表示装置。
【発明の詳細な説明】
【技術分野】
【０００１】
本発明は、画像表示装置の駆動方法などに関する。特に、複数のデータ線への階調データ信号の供給を、スキャンドライバからの距離に応じて、遅延させる画像表示装置の駆動方法などに関する。
【背景技術】
【０００２】
画像表示装置として、液晶パネルや有機ＥＬパネルなどのフラットディスプレイ型の表示装置が用いられている。このような表示装置においては、複数の走査線（複数のデータ更新制御信号線）の中から選択された走査線に走査線信号を供給し、複数の走査線それぞれと交差する複数のデータ線に階調データ信号を供給し、選択された走査線に接続された複数の画素回路それぞれに階調データ信号の取り込みをさせる。
【０００３】
近年、このような表示装置のパネルの大型化および高解像度化がすすめられている。パネルの大型化により、走査線の配線負荷が増大し、スキャンドライバから供給される走査線信号の無視できない長さの遅延が生じる。また、高解像度化により、階調データ信号の更新時間が短縮し、階調データ信号と走査線信号とのセットアップホールド時間のマージンを確保することが困難となる。
【０００４】
このような課題を解決するために、例えば特許文献１に記載の技術が提案されている。
【先行技術文献】
【特許文献】
【０００５】
【特許文献１】特開２０１２−２３７８０６号公報
【発明の概要】
【発明が解決しようとする課題】
【０００６】
特許文献１に記載の技術は、スキャンドライバから離れた位置の配線容量に合わせて走査線に、寄生容量を追加し、スキャンドライバからの距離に関係なく、画素回路に階調データ信号を供給可能とする。
【０００７】
しかし、特許文献１に記載の技術においては、画素毎に異なるレイアウトを用いる必要があるため、表示のバラつきの新たな原因となる可能性がある。
【０００８】
そこで、以下では、特許文献１に記載の技術とは異なる技術を開示し、表示パネルの大型化および高解像度化に対応可能とする。
【課題を解決するための手段】
【０００９】
本発明の一実施形態として、スキャンドライバに接続された走査線と、データドライバに接続され前記走査線に交差するすくなくとも２本のデータ線とを有する画像表示装置の駆動方法であり、前記データドライバが、前記すくなくとも２本のデータ線それぞれに階調データ信号を供給するタイミングを、前記複数のデータ線のそれぞれと前記スキャンドライバとの間の距離に応じて遅延させ、異ならせることを含む、画像表示装置の駆動方法を提供する。
【００１０】
本発明の一実施形態として、スキャンドライバに接続された走査線と、前記走査線に交差するすくなくとも２本のデータ線に接続されたデータドライバとを有する画像表示装置であり、前記データドライバは、前記すくなくとも２本のデータ線それぞれに階調データ信号を供給するタイミングを、前記複数のデータ線のそれぞれと前記スキャンドライバとの間の距離に応じて遅延させ、異ならせる画像表示装置を提供する。
【発明の効果】
【００１１】
本発明によれば、表示パネルの大型化による走査線信号の伝達の遅延および表示パネルの高解像度化によるデータの更新時間の短縮が生じても、意図された画像を表示することが可能である。
【図面の簡単な説明】
【００１２】
【図１】本発明の実施形態１に係る画像表示装置の機能ブロック図。
【図２】本発明の実施形態１に係る画像表示装置に用いることができる画素回路の一例図。
【図３】本発明の実施形態１に係る画像表示装置における階調データ信号を取り込む処理を説明するタイミングチャート。
【図４】本発明の実施形態１に係る画像表示装置において、スキャンドライバから離れるにしたがって、走査線信号１が変形することを説明するための図。
【図５】本発明の実施形態１に係る画像表示装置の動作を説明するタイミングチャート。
【図６】本発明の実施形態１に係る画像表示装置に用いられるデータドライバの機能ブロック図。
【図７】本発明の実施形態１に係る画像表示装置に用いられるデータドライバに配置される遅延制御回路の機能ブロック図。
【図８】本発明の実施形態１に係る画像表示装置の動作を説明するタイミングチャート。
【図９】本発明の実施形態１に係る画像表示装置の行方向パネル位置に対する遅延時間を示すグラフの一例図。
【図１０】本発明の実施形態２に係る画像表示装置の機能ブロック図
【図１１】本発明の実施形態２に係る画像表示装置に用いることができるダミー画素回路の一例図。
【図１２】本発明の実施形態２に係る画像表示装置の動作を説明するタイミングチャート。
【図１３】本発明の実施形態２に係る画像表示装置に用いられるデータドライバの機能ブロック図。
【図１４】本発明の実施形態２に係る画像表示装置の動作を説明するタイミングチャート。
【発明を実施するための形態】
【００１３】
以下に、本発明を実施するための形態について、いくつかの実施形態として説明を行う。なお、本発明は、これらの実施形態に限定して解釈されるものではない。本発明は、これらの実施形態を変形して実施することも可能である。
【００１４】
（実施形態１）
図１は、本発明の実施形態１に係る画像表示装置の機能ブロック図を示す。本実施形態に係る画像表示装置は、パネル１０１と、データドライバ１０３と、スキャンドライバ１０４とを備える。パネル１０１には、それぞれがスキャンドライバ１０４に接続された複数の走査線ＳＣＡＮ（１）、ＳＣＡＮ（２）およびＳＣＡＮ（３）が配置されている。また、パネル１０１には、それぞれがデータドライバ１０３に接続された複数のデータ線ＤＴ（１）、ＤＴ（２）およびＤＴ（３）が配置されている。複数の走査線ＳＣＡＮ（１）、ＳＣＡＮ（２）およびＳＣＡＮ（３）のそれぞれは、複数のデータ線ＤＴ（１）、ＤＴ（２）およびＤＴ（３）それぞれと交差している。なお、走査線の数は任意とすることができる。また、データ線の数もすくなくとも２本あれば任意とすることができる。
【００１５】
複数の走査線ＳＣＡＮ（１）、ＳＣＡＮ（２）およびＳＣＡＮ（３）のそれぞれと複数のデータ線ＤＴ（１）、ＤＴ（２）およびＤＴ（３）のそれぞれとの交差位置に対応して、画素回路１０２がパネル１０１に配置される。画素回路１０２は、走査線により選択された際に、データ線に供給されている階調データ信号を取り込み、画素回路１０２に対応する画素の表示を行う回路である。
【００１６】
画素回路としては、液晶表示素子により画素の表示を行う回路、有機ＥＬ素子により画素の表示を行う回路などを用いることができる。画素回路の一例として、図２は、有機ＥＬ素子による画素回路を示す。
【００１７】
図２においては、画素回路の構成は次のようになっている。トランジスタＭ１およびＭ２はＰ型トランジスタで構成され、トランジスタＭ２のゲート電極が複数の走査線の一つの走査線ＳＣＡＮに接続され、トランジスタＭ２のソース電極またはドレイン電極の一方が複数のデータ線の一つのデータ線ＤＴに接続され、トランジスタＭ２のソース電極またはドレイン電極の他方が、コンデンサＣ１の一端の電極とトランジスタＭ１のゲート電極に接続されている。トランジスタＭ１のソース電極またはドレイン電極の一方は、電源端子ＥＬＶＤＤとコンデンサＣ１の他端の電極とに接続され、トランジスタＭ１のソース電極またはドレイン電極の他方は、有機ＥＬ素子のアノード電極に接続されている。有機ＥＬ素子のカソード電極は、電源端子ＥＬＶＳＳに接続されている。
【００１８】
図３は、図２に示す画素回路の動作を説明するための図である。データ線ＤＴに、時間の経過に応じて、階調データ信号ｋ−２、ｋ−１、ｋ、ｋ＋１が供給されるとする。このとき、走査線ＳＣＡＮに接続された画素回路に階調データ信号ｋを取り込ませるためには、走査線ＳＣＡＮに供給される走査線信号を、符号３０１が示すように、ＨレベルからＬレベルに立ち下げ、一水平期間の経過後において、データ線ＤＴに階調データ信号ｋが供給されているときに、走査線信号を符号３０２に示すように、ＬレベルからＨレベルに立ち上げる。
【００１９】
走査線信号がＨレベルにあるときは、トランジスタＭ２はオフ状態となっている。一方、走査線信号がＬレベルにあるときは、トランジスタＭ２はオン状態となり、データ線ＤＴに供給されている階調データ信号がコンデンサＣ１の一端に供給される。その後、走査線信号がＨレベルになると、トランジスタＭ２がオフ状態となり、このときの階調データ信号に相当する電荷がコンデンサＣ１に蓄積される。その後、コンデンサＣ１に蓄積された電荷に応じた電位がトランジスタＭ１のゲートとソース電極またはドレイン電極の一方との間に印加され、この電位に応じた電流が有機ＥＬ素子に供給される。
【００２０】
図３において、走査線信号は、符号３０１および３０２に示されるように、パルス波形として時間微分が無限あるいは無限に近くなるように変化するように示されている。しかし、実際の画像表示装置の走査線には、図１の符号１０５に示すように、配線抵抗が存在し、また、パネル１０１の電極などと容量結合している。このため、走査線にスキャンドライバ１０４から図３に示すようなパルス波を供給しても、走査線の配線抵抗と容量結合による容量とにより、走査線をパルス波が変形して伝達することになる。
【００２１】
例えば、符号３０２における立ち上がりは、走査線上の任意の位置Ｐとスキャンドライバ１０４との間の配線抵抗値をＲとし、位置Ｐにおける容量結合による容量値をＣとすると、位置Ｐにおいて、例えば、１−ＥＸＰ（−ｔ／（ＣＲ））と変化する。また、位置Ｐがスキャンドライバ１０４から離れるに従い、ＲおよびＣのそれぞれは増加することになる。
【００２２】
したがって、例えば、走査線ＳＣＡＮ（１）に図４の符号４０１に示すパルス波形の立ち上がりがスキャンドライバ１０４から供給された場合、走査線ＳＣＡＮ（１）およびデータ線ＤＴ（１）の交差位置に対応する画素回路のトランジスタＭ２のゲート電極に供給される信号は、符号４０２に示すように変化し、走査線ＳＣＡＮ（１）およびデータ線ＤＴ（２）の交差位置に対応する画素回路のトランジスタＭ２のゲート電極に供給される信号は、符号４０３に示すようによりゆるやかに変化し、走査線ＳＣＡＮ（１）およびデータ線ＤＴ（３）の交差位置に対応する画素回路のトランジスタＭ２のゲート電極に供給される信号は、符号４０４に示すようにさらにゆるやかに変化することになる。
【００２３】
もし、各画素回路のトランジスタＭ２が走査線信号のＨレベルの例えば８０％のレベルの電圧でオフ状態になる場合には、走査線ＳＣＡＮ（１）およびデータ線ＤＴ（１）の交差位置に対応する画素回路のトランジスタＭ２がオフになるのは符号４０２の時点となり、走査線ＳＣＡＮ（１）およびデータ線ＤＴ（２）の交差位置に対応する画素回路のトランジスタＭ２がオフになるのは符号４０３の時点となり、走査線ＳＣＡＮ（１）およびデータ線ＤＴ（３）の交差位置に対応する画素回路のトランジスタＭ２がオフになるのは符号４０４の時点となる。このため、スキャンドライバから離れるに従い、画素回路が階調データ信号を取り込む時間が遅延していくことになる。
【００２４】
パネル１０１の大型化により、走査線の配線抵抗値は増加する傾向にあり、また、高解像度化により、走査線の容量結合による容量値も増加する傾向にある。このため、１−ＥＸＰ（−ｔ／（ＣＲ））におけるＣＲの値は大きくなり、パネル１０１の大型化と高解像度化により、上述の遅延は大きくなる傾向にある。
【００２５】
そこで、本実施形態では、データドライバが複数のデータ線のいずれかのデータ線に階調データ信号を供給するタイミングをそのいずれかのデータ線および走査線の交点のスキャンドライバからの距離に応じて遅延させ、複数のデータ線のうちすくなくとも２本のデータ線に階調データ信号を供給するタイミングを異ならせる構成を用いる。言い換えると、本実施形態では、データドライバが複数のデータ線のいずれかのデータ線に階調データ信号を供給するタイミングをそのいずれかのデータ線とスキャンドライバとの間のデータ線の数に応じて遅延させる。
【００２６】
一般には、データ線および走査線の交点のスキャンドライバからの距離、あるいは、データ線とスキャンドライバとの間のデータ線の数に対して、スキャンドライバが走査線信号をＨレベルとした時点から階調データ信号を供給するまでの遅延時間の長さを単調増加させることができる。なお、単調増加は、ここでは、狭義の単調増加のみならず、広義の単調増加も意味する。
【００２７】
図５は、データ線に階調データ信号を供給するタイミングを遅延させた状態を示すタイミングチャートである。走査線ＳＣＡＮ（１）を例にとると、走査線ＳＣＡＮ（１）およびデータ線ＤＴ（１）の交差位置に対応する画素回路のトランジスタＭ２がオフになるのは符号４０２の時点となり、走査線ＳＣＡＮ（１）およびデータ線ＤＴ（２）の交差位置に対応する画素回路のトランジスタＭ２がオフになるのは符号４０３の時点となり、走査線ＳＣＡＮ（１）およびデータ線ＤＴ（３）の交差位置に対応する画素回路のトランジスタＭ２がオフになるのは符号４０４の時点となる。そこで、符号４０１と符号４０２との時間差をＤＥＬＡＹ１と表わすと、データ線ＤＴ（１）への階調データ信号の供給の際には、ＤＥＬＡＹ１の時間長の遅延を設ける。同様に符号４０２と符号４０３との時間差をＤＥＬＡＹ２と表わすと、データ線ＤＴ（２）への階調データ信号の供給の際には、ＤＴ（１）への階調データ信号の供給の時点からＤＥＬＡＹ２の時間長の遅延を設ける。また、同様に符号４０３と符号４０４との時間差をＤＥＬＡＹ３と表わすと、データ線ＤＴ（３）への階調データ信号の供給の際には、ＤＴ（２）への階調データ信号の供給の時点からＤＥＬＡＹ３の時間長の遅延を設ける。これにより、走査線ＳＣＡＮ（１）を伝達するパルスが変形し、走査線ＳＣＡＮ（１）に接続される画素回路のそれぞれに階調データ信号を取り込ませることができる。これにより、意図された画像を本実施形態に係る画像表示装置に表示することができる。
【００２８】
図６は、データドライバ１０３の機能ブロック図の一例を示す。データドライバ１０３は、データ線ＤＴ１（１）に対応して、データラッチ回路１（６０１）、データラッチ回路２（６０２）、出力制御回路６０３および出力バッファ６０４を有する。他のデータ線についても同様であるので、ここでは、ＤＴ（１）に対応する部分について説明する。
【００２９】
データラッチ回路１（６０１）は、対応するデータ線に接続された画素回路により表示されるべき表示データ（１）とクロック信号ＣＬＫ（１）とが入力される。表示データ（１）はクロック信号（１）に応じてデータラッチ回路１（６０１）にラッチされる。データラッチ回路１（６０１）にラッチされた表示データ（１）は、次にデータラッチ回路２（６０２）に入力され、出力タイミング信号ＬＡＴ’に応じて、出力制御回路６０３および出力バッファ６０４を介して階調データ信号としてデータ線ＤＴ（１）に出力される。
【００３０】
ここに、出力タイミング信号ＬＡＴ’は、データドライバ１０３の外部から入力されるかまたはデータドライバ１０３の内部にて生成される出力タイミング信号ＬＡＴを遅延制御回路６１１により遅延した信号である。出力タイミング信号ＬＡＴはスキャンドライバ１０４が複数の走査線から１つの走査線の選択を変更することに同期する信号である。通常は、出力タイミング信号ＬＡＴは、走査線にパルス波を供給した際の波形の変形や遅延が発生しないとした想定したときのタイミングにおいて、データ線に階調データ信号を出力することを示す。
【００３１】
しかし、上述のように、走査線にパルス波を供給した際の波形の変形や遅延が発生するので、遅延制御回路６１１は、スキャンドライバ１０４からの走査線信号をＬからＨに立ち上げてからデータ線ＤＴ（１）に接続された画素回路のトランジスタＭ２がオフとなるまでの時間であるＤＥＬＡＹ１の時間長の遅延をさせる。
【００３２】
同様に、データ線ＤＴ（２）に出力される階調データ信号を、データ線ＤＴ（１）に出力される階調データ信号よりもＤＥＬＡＹ２の遅延をさせるために、出力タイミング信号ＬＡＴ’を遅延制御回路６１２に入力し、データ信号ＤＴ（２）に対応するデータラッチ回路２にＬＡＴ’’を得て出力する。データ線ＤＴ（３）についての出力タイミング信号ＬＡＴ’’’についても同様であり、ＬＡＴ’’を遅延制御回路に入力し、ＬＡＴ’’’を得る。すなわち、本実施形態においては、遅延制御回路を直列接続し、出力タイミング信号を、スキャンドライバ１０４とデータ線との距離に応じて遅延させることができる。
【００３３】
遅延制御回路による遅延時間の長さは、走査線にパルス波を供給した際の波形の変形などを設計時に計算して固定しておくこともできる。例えば、上述のＣおよびＲの積である時間定数に基づいて決定しておくことができる。また、遅延制御回路による遅延時間の長さを変更可能とすることもできる。
【００３４】
図７は、遅延時間の長さを変更可能とする遅延制御回路７０１の機能ブロック図の一例を示す。遅延制御回路７０１は、直列に接続された遅延（ＤＥＬＡＹ）回路７０２、７０３、７０４および７０５を有する。また、遅延（ＤＥＬＡＹ）回路７０２、７０３、７０４および７０５のそれぞれの出力は、スイッチ７０７、７０８、７０９および７１０のそれぞれの一端に入力さる。スイッチ７０７、７０８、７０９および７１０は、制御信号ＤＥＬＡＹ_ＳＥＴにより、いずれか１つが選択され、出力をする。この構成により、４種類の遅延時間の長さを選択することができる。
【００３５】
遅延制御回路による遅延時間の長さを変更可能とする理由の一つは、走査線にパルス波を供給する際に遅延が発生するように、データ線に階調データ信号を供給する際に遅延が発生するからである。このために、選択される走査線とデータドライバとの距離に応じて、遅延制御回路による遅延時間の長さを制御することができる。
【００３６】
図８は、図６におけるＬＡＴ，ＬＡＴ’、ＬＡＴ’’およびＬＡＴ’’’ならびにＤＴ（１）、ＤＴ（２）およびＤＴ（３）のタイミングチャートを示す。出力信号ＬＡＴをＤＥＬＡＹ１遅延させた信号がＬＡＴ’となる。ＬＡＴ’により、ＤＴ（１）への階調データ信号の出力が制御される。同様に、ＬＡＴ’をＤＥＬＡＹ２遅延させた信号がＬＡＴ’’となる。ＬＡＴ’’により、ＤＴ（２）への階調データ信号の出力が制御される。また同様に、ＬＡＴ’’をＤＥＬＡＹ３遅延させた信号がＬＡＴ’’’となる。ＬＡＴ’’’により、ＤＴ（３）への階調データ信号の出力が制御される。
【００３７】
図９は、ＤＥＬＡＹ１、ＤＥＬＡＹ２、ＤＥＬＡＹ３の関係を示すグラフである。横軸は、パネル１０１における行方向パネル位置を示す。すなわち、走査線の伸長方向におけるスキャンドライバ１０４からの距離である。縦軸は、遅延時間を表わす。すなわち、スキャンドライバから階調データ信号を取り込むための走査線信号の変化が発生してから画素回路のトランジスタＭ２がオフとなるのに要する時間である。グラフ９０１は、例えば、１−ＥＸＰ（−ｔ／（ＣＲ））のグラフにおいて、ＣおよびＲの値を行方向パネル位置の増大とともに大きくして得ることができる。
【００３８】
このとき、ＤＥＬＡＹ１は、ＤＴ（１）の行方向パネル位置における遅延時間とすることができる。ＤＥＬＡＹ２は、ＤＴ（２）の行方向パネル位置における遅延時間からＤＥＬＡＹ１を控除した値とすることができる。同様に、ＤＥＬＡＹ３は、ＤＴ（３）の行方向パネル位置における遅延時間からＤＥＬＡＹ１およびＤＥＬＡＹ２を控除した値とすることができる。
【００３９】
以上のように、本実施形態においては、走査線にパルス波を供給した際の遅延に応じて、データ線への階調データ信号の供給を遅延させることができるので、意図した画像を表示することができる。
【００４０】
なお、本実施形態においては、パネル１０１の一端にのみデータドライバおよびスキャンドライバが配置されているとして説明したが、データドライバおよびスキャンドライバのいずれかまたは両方がパネル１０１の両端に配置されている場合にも適用可能である。この場合、一つの走査線の両端にスキャンドライバから走査線信号が供給されると、遅延時間は、一般には、一方のスキャンドライバからの距離に応じて単調増加することはなくなり、パネル１０１の中央付近において遅延時間が最大となる。
【００４１】
（実施形態２）
図１０は、本発明の実施形態２に係る画像表示装置の機能ブロック図を示す。本実施形態に係る画像表示装置は、パネル１００１と、データドライバとしてのデータドライバ１００３−１、１００３−２および１００３−３と、スキャンドライバ１００４とを備える。パネル１００１には、それぞれがスキャンドライバ１００４に接続された複数の走査線ＳＣＡＮ（１）、ＳＣＡＮ（２）、ＳＣＡＮ（３）およびＳＣＡＮ（ＦＢ）が配置されている。また、パネル１００１には、それぞれがデータドライバのいずれかに接続された複数のデータ線ＤＴ（１）、ＤＴ（２）およびＤＴ（３）が配置されている。複数の走査線ＳＣＡＮ（１）、ＳＣＡＮ（２）、ＳＣＡＮ（３）およびＳＣＡＮ（ＦＢ）のそれぞれは、複数のデータ線ＤＴ（１）、ＤＴ（２）およびＤＴ（３）それぞれと交差している。
【００４２】
複数の走査線ＳＣＡＮ（１）、ＳＣＡＮ（２）およびＳＣＡＮ（３）のそれぞれと複数のデータ線ＤＴ（１）、ＤＴ（２）およびＤＴ（３）のそれぞれとの交差位置に対応して、画素回路１００２が、パネル１００１に配置される。画素回路１００２は、走査線により選択された際に、データ線に供給されている階調データ信号を取り込み、画素回路１００２に対応する画素の表示を行う回路である。
【００４３】
ただし、本実施形態においては、ＳＣＡＮ（ＦＢ）と複数のデータ線ＤＴ（１）、ＤＴ（２）およびＤＴ（３）のそれぞれとの交差位置に対応して、ダミー画素回路が接続される。
【００４４】
ダミー画素回路は、画素の表示を行わない回路である。例えば、図１１に示すように、図２に一例を示す画素回路から、有機ＥＬ素子が取り除かれた回路となっている。これにより、ＳＣＡＮ（ＦＢ）を、走査線にパルス波が供給された場合の遅延時間を取得するために用いることができる。
【００４５】
より具体的には、各データドライバには、そのデータドライバに接続されたデータ線とＳＣＡＮ（ＦＢ）との交点に対応するダミー画素回路とスキャンドライバ１００４との間におけるＳＣＡＮ（ＦＢ）の走査線信号が供給される。そして、各データドライバは、このように供給されることにより取得されたＳＣＡＮ（ＦＢ）の走査線信号に基づいて出力タイミング信号を生成する。
【００４６】
図１２は、各データドライバが供給されたＳＣＡＮ（ＦＢ）の走査線信号に基づいて出力タイミング信号を生成する過程を示すタイミングチャートである。
【００４７】
走査線ＳＣＡＮ（１）、ＳＣＡＮ（２）およびＳＣＡＮ（３）に供給される走査線信号の立ち上がりおよび立ち下がりのいずれかまたは両方においてＨレベルおよびＬレベルを遷移するパルス信号を図１２におけるＳＣＡＮ（ＦＢ）の実線のように供給する。すると、ＳＣＡＮ（ＦＢ）の配線の抵抗値および容量結合による容量値により、パルス信号の波形が、スキャンドライバからの距離に応じて変化する。
【００４８】
ＬＡＴ（１）をデータドライバ１００３−１に供給されたＳＣＡＮ（ＦＢ）の走査線信号とすると、その波形は、図１２に示すようになる。同様に、ＬＡＴ（２）、ＬＡＴ（３）それぞれをデータドライバ１００３−２、１００３−３に供給されたＳＣＡＮ（ＦＢ）の走査線信号とする。
【００４９】
すると、ＬＡＴ（１）、ＬＡＴ（２）およびＬＡＴ（３）のそれぞれが、所定のレベルとなるタイミングで、ＤＴ（１）、ＤＴ（２）およびＤＴ（３）に供給する階調データ信号を切り替えることができる。
【００５０】
図１３は、各データドライバが、供給されたＳＣＡＮ（ＦＢ）から取得される走査線信号ＬＡＴ（１）、ＬＡＴ（２）およびＬＡＴ（３）に基づいてそれぞれの出力タイミング信号ＬＡＴ_ＩＮＩＴ（１）、ＬＡＴ_ＩＮＩＴ（２）およびＬＡＴ_ＩＮＩＴ（３）を生成する機能を説明する図である。
【００５１】
各データドライバには、ＬＡＴパルス生成回路が備えられ、ＬＡＴ（１）、ＬＡＴ（２）およびＬＡＴ（３）のいずれかの信号が入力される。ＬＡＴパルス生成回路は、入力された信号が所定のレベルになることを検出すると、出力タイミング信号ＬＡＴ_ＩＮＩＴ（１）、ＬＡＴ_ＩＮＩＴ（２）およびＬＡＴ_ＩＮＩＴ（３）のいずれかをデータラッチ回路２に出力する。
【００５２】
図１４は、ＳＣＡＮ（ＦＢ）から取得されるＬＡＴ（１）、ＬＡＴ（２）およびＬＡＴ（３）から生成されるＬＡＴ_ＩＮＩＴ（１）、ＬＡＴ_ＩＮＩＴ（２）およびＬＡＴ_ＩＮＩＴ（３）の関係を示すタイミングチャートである。図１４に示すようにＳＣＡＮ（ＦＢ）に供給されるパルス波が変形し、所定のレベルに達するための遅延時間に応じてＬＡＴ_ＩＮＩＴ（１）、ＬＡＴ_ＩＮＩＴ（２）およびＬＡＴ_ＩＮＩＴ（３）それぞれがＬレベルに遷移するタイミングが遅延する。これにより、ＤＴ（１）、ＤＴ（２）およびＤＴ（３）に供給される階調データ信号の切り替えのタイミングが遅延することになる。
【００５３】
以上のように、本実施形態においては、実施形態１におけるような遅延制御回路を用いずに、階調データ信号の切り替えのタイミングを遅延させることができる。これにより、意図した画像を表示することができる。
【００５４】
なお、本実施形態においては、パネル１００１の一端にのみデータドライバおよびスキャンドライバが配置されているとして説明したが、データドライバおよびスキャンドライバのいずれかまたは両方がパネル１００１の両端に配置されている場合にも適用可能である。
【００５５】
また、ＳＣＡＮ（ＦＢ）にはダミー画素回路が接続されるとしたが、他の走査線に接続される画素回路と同等の画素回路とし、画素表示を行わせることができる。この場合、ＳＣＡＮ（ＦＢ）には、図１２のように、走査線ＳＣＡＮ（１）、ＳＣＡＮ（２）およびＳＣＡＮ（３）に供給される走査線信号の立ち上がりおよび立ち下がりのいずれかまたは両方においてＨレベルおよびＬレベルを遷移するパルス信号とすることはできず、ＳＣＡＮ（ＦＢ）が選択されたときにだけＨレベルおよびＬレベルを遷移する信号となる。この場合、ＳＣＡＮ（ＦＢ）が選択されない間の階調データ信号の切り替えのタイミングのために、ＬＡＴパルス生成回路に遅延時間を記憶させて、出力タイミング信号を生成させることもできる。
【符号の説明】
【００５６】
１０１  パネル、１０２  画素回路、１０３  データドライバ、１０４  スキャンドライバ
【図１】
2015075495.tif 000003
【図２】
2015075495.tif 000004
【図３】
2015075495.tif 000005
【図４】
2015075495.tif 000006
【図５】
2015075495.tif 000007
【図６】
2015075495.tif 000008
【図７】
2015075495.tif 000009
【図８】
2015075495.tif 000010
【図９】
2015075495.tif 000011
【図１０】
2015075495.tif 000012
【図１１】
2015075495.tif 000013
【図１２】
2015075495.tif 000014
【図１３】
2015075495.tif 000015
【図１４】
2015075495.tif 000016